(57)【要約】【課題】人体の頭部の動きにより、静止している物品の表面の図柄が連続的に動く、物品を覆う被膜を提供する。そして、窓ガラスなどの透過光を受容する隔壁の装飾にも利用できることと、安価に生産できることも併せて目的とする。【解決手段】無数の平行線を描いた図柄を持つ透明な上側の層と、無数の平行線を描いた図柄を持つ下側の層を平行に向かい合わせる。この際、上側の線と下側の線がほぼ平行に近いがほんの少しだけ互いにねじれの位置となるようにする。本発明は、以上の構造からなる、見る人の動きにより、模様が連続的に動く膜である。【選択図】          図１
2011154254.tif 000002
【特許請求の範囲】
【請求項１】
平行に並ぶ無数の線１１を描いた透明な表層シート１０と、平行に並ぶ無数の線２１を描いたと基底層シート２０とを、一定の層の隙間３０を与えて平行に向かい合わせ、表層シート１０上の線１１と基底層シート２０上の線２１とがほぼ平行に近いが若干だけ互いにねじれの位置となるようにした、見る人の動きにより模様が連続的に動く膜。
【請求項２】
無数の細長い格子線４３を平行に並べた上層４０と、無数の細長い格子線５３を平行に並べた下層５０とを、一定の層の隙間３０を与えて互いに平行に向かい合わせ、上層４０の格子線４３と下層５０の格子線５３とがほぼ平行に近いがほんの少しだけ互いにねじれの位置となるようにした、見る人の動きにより模様が連続的に動く膜。
【請求項３】
透明被膜７８において、上面７０に平行に並ぶ無数の線７１を描き、下面８０にも平行に並ぶ無数の線８１を描き、上面７０の線７１と下面８０の線８１がほぼ平行に近いがほんの少しだけ互いにねじれの位置となるようにした、見る人の動きにより模様が連続的に動く膜。
【請求項４】
平行に並ぶ無数の線１１を描いた透明な表層シート１０と、平行に並ぶ無数の線６１を描いた一枚から数枚の透明な中層シート６０と、平行に並ぶ無数の線２１を描いたと基底層シート２０とを、それぞれの層の間に一定の層の隙間３０を与えて平行に並べ、表層シート１０上の線１１と中層シート６０上の線６１と基底層シート２０上の線２１のうち少なくとも二つがほぼ平行であるがほんの少しだけ互いにねじれの位置となるようにした、見る人の動きにより模様が連続的に動く膜。
【発明の詳細な説明】
【技術分野】
【０００１】
本発明は、見る人の動きにより、描かれた模様が連続的に動く膜であり、物品の表層を覆う被膜に関するものである。
【背景技術】
【０００２】
従来、物品の表層に描かれる図柄は、図柄自体が連続的に動くことはなかった。図柄を動かすには物品自体を動かさなければならなかった。物品自体を動かすことなく、図柄のみが変化する技術として、レンチキュラー方式を使った変化する絵柄や錯視によって動く図柄が既に公知であった。
【０００３】
しかし、レンチキュラー方式を使った技術は複数の絵柄が段階的に変化するだけで連続的な変化とはならなかった。さらに、特殊なレンチキュラーレンズを用いるために生産コストも大きかった。また、錯視によって動く図柄は、人間の錯覚を利用しており、本当に図柄が動いているわけではなかった。
【発明の概要】
【発明が解決しようとする課題】
【０００４】
人体の頭部の動きにより、静止している物品の表面の図柄が連続的に動く、物品を覆う被膜を提供する。そして、窓ガラスなどの透過光を受容する隔壁の装飾にも利用できることと、安価に生産できることも併せて目的とする。
【課題を解決するための手段】
【０００５】
請求項１に記載の本発明は、無数の平行線を描いた向かい合う二枚のシート、基底層シート２０と透明な表層シート１０からなる。基底層シート２０には平行に並ぶ無数の線２１を描いた図柄を与える。透明な表層シート１０にも無数の線１１を平行に並べた図柄を与える。そして、基底層シート２０と透明な表層シート１０を一定の層の隙間３０を与えて平行に向かい合わせる。この際、線１１と線２１がほぼ平行に近いが、ほんの少しだけ互いにねじれの位置を取るようにする。本発明は、以上の構造からなる、見る人の動きにより、模様が連続的に動く膜である。
【０００６】
請求項２に記載の本発明は、無数の細長い格子線４３を平行に並べた上層４０と、同様に無数の細長い格子線５３を平行に並べた下層５０を、一定の層の隙間３０を与えて互いに平行に向かい合わせたものである。この際、格子線４３と格子線５３とがほぼ平行に近いがほんの少しだけ互いにねじれの位置を取るようにする。本発明は、以上の構造からなる、見る人の動きにより、模様が連続的に動く膜である。
【０００７】
請求項３に記載の本発明は、透明被膜７８の上下両面に無数の平行線を描いたものである。下面８０には平行に並ぶ無数の線８１を描いた図柄を与える。上面７０にも無数の線７１を平行に並べた図柄を与える。この際、線７１と線８１がほぼ平行に近いがほんの少しだけ互いにねじれの位置を取るようにする。本発明は、以上の構造からなる、見る人の動きにより、模様が連続的に動く膜である。
【０００８】
請求項４に記載の本発明は、向かい合う無数の平行線を描いた三枚以上のシートからなる。平行に並ぶ無数の線２１を描いた基底層シート２０と、平行に並ぶ無数の線６１を描いた一枚から数枚の透明な中層シート６０と、平行に並ぶ無数の線１１を描いた透明な表層シート１０とを、それぞれの層の間に一定の層の隙間３０を与えて互いに平行に並べる。この際、線１１と線２１と線６１のうち少なくとも二つが、ほぼ平行であるがほんの少しだけ互いにねじれの位置を取るようにする。本発明は、以上の構造からなる、見る人の動きにより、模様が連続的に動く膜である。
【発明の効果】
【０００９】
請求項１に記載の本発明の効果を図５から図９を用いて説明する。表層シート１０のみの図柄（図５）も、基底層シート２０の図柄（図６）も単独では、平坦な平行線群にすぎないが、それを重ね合わせた本発明は図７に示すように明帯７と暗帯８が交互に表れる図柄となる。表層シート１０の線１１と基底層シート２０の線２１が重なるところでは明帯７となり、重なっていないところでは暗帯８となる。
【００１０】
ここで、線１１と線２１の色が両方とも黒色であり基底層シート２０が白地である場合を例にとり、この断面の拡大図である図８と図９を用いて、図柄が動く原理を説明する。まず、図８において視線ｅでは線１１と線２１が重なって見える。その結果、線１１と線２１両方が視線ｆ上になく、この部分が白く見え、見ている位置は白い部分の多い明帯７となる。次に、図９のように、目の位置を横に平行移動すると（図７のｄ方向に移動すると）、視線ｇ上には線２１が、視線ｈ上には線１１がそれぞれ存在することになる。このとき、どちらの視線上も黒く見えるはずであり、視界に黒い部分の占める面積が広がり、見ている位置が暗帯８に変わる。その結果、図７のｃ−ｄ方向に目の位置を動かすと図７のａ−ｂ方向に明帯７と暗帯８のなす縞模様が動いて見える。
【００１１】
さらに、線１１や線２１の色としてそれぞれ異なる他の色を用いれば色彩も動くことになる。
【００１２】
また、基底層シート２０の地も透明にしたうえで、線１１や線２１の色としてそれぞれ異なる光の原色を用い、窓ガラスなどの透過光を受容する隔壁の装飾として用いれば、線１１や線２１の色の重なりにより異なる色を呈し、色彩が動く隔壁となる。
【００１３】
請求項２に記載の本発明は、上層４０が表層シート１０に、下層５０が基底層シート２０に、格子線４３が線１１に、格子線５３が線２１にそれぞれ相当し、請求項１に記載の本発明と同じ効果を生ずる。
【００１４】
請求項３に記載の本発明は、上面７０が表層シート１０に、下面８０が基底層シート２０に、線７１が線１１に、線８１が線２１にそれぞれ相当し、請求項１に記載の本発明と同じ効果を生ずる。
【００１５】
請求項４に記載の本発明は、請求項１に記載の本発明と同じ効果がより複雑に生ずる。特に、線１１と線６１と線２１がすべて互いにねじれの位置である場合、その角度により、線１１と線６１の交わりの明帯７、線１１と線２１の交わりの明帯７、線６１と線２１の交わりの明帯７のそれぞれを、それぞれのスピードで順行逆行それぞれの方向に（請求項１に記載の本発明の平面図である図７上で仮に表現すれば、ａ方向にもｂ方向にも）動くようにすることができる。
【図面の簡単な説明】
【００１６】
【図１】請求項１に記載の本発明の一部分を拡大した斜視図である。斜線部全体が一本の線（１１、２１）を表している。
【図２】請求項２に記載の本発明の一部分を拡大した斜視図である。
【図３】請求項３に記載の本発明の一部分を拡大した斜視図である。斜線部全体が一本の線７１を、破線部分内全体が一本の線８１を表している。
【図４】請求項４に記載の本発明の一部分を拡大した斜視図である。斜線部全体が一本の線（１１、２１、６１）を表している。
【図５】請求項１に記載の本発明の表層シート１０のみの平面図である。
【図６】請求項１に記載の本発明の基底層シート２０のみの平面図である。
【図７】請求項１に記載の本発明の平面図である。
【図８】請求項１に記載の本発明の図７のＤ−Ｅ断面の一部分を拡大した図である。矢印付きの破線は視線（ｅ、ｆ）を表している。
【図９】請求項１に記載の本発明の図７のＤ−Ｅ断面の一部分を拡大した図である。矢印付きの破線は視線（ｇ、ｈ）を表している。見る位置が変化したことで明帯７と暗帯８が図７と逆転している。
【図１０】本発明の応用例として、本発明を被膜した蛇の模型６の斜視図である。明帯７と暗帯８は模式的に示している。
【図１１】本発明の応用例として、本発明を一部に被膜した屋外分度器９の斜視図である。明帯７と暗帯８は模式的に示している。
【発明を実施するための形態】
【００１７】
すべての平行線の線の幅とその間隙を同じにする。すなわち、請求項１に記載の本発明の場合は線１１と線２１と平行線間隙１２と平行線間隙２２、請求項２に記載の本発明の場合は格子線４３と格子線５３と格子線間隙４４と格子線間隙５４、請求項３に記載の本発明の場合は線７１と線８１と平行線間隙７２と平行線間隙８２、請求項４に記載の本発明の場合は線１１と線６１と線２１と平行線間隙１２と平行線間隙６２と平行線間隙２２を同じ幅にする。
【００１８】
上下の層（請求項１に記載の本発明の場合は表層シート１０と基底層シート２０。請求項２に記載の本発明の場合は上層４０と下層５０。請求項３に記載の本発明の場合は上面７０と上面８０。請求項４に記載の本発明の場合は表層シート１０と中層シート６０と基底層シート２０。）は完全に平行にする。
【００１９】
上下の層の間の隙間（請求項１、２，４に記載の本発明の場合は層の隙間３０。請求項３に記載の本発明の場合は透明被膜７８の厚み。）を平行線の幅の０．５倍から１０倍程度とする。
【００２０】
上下の線（請求項１に記載の本発明の場合は線１１と線２１。請求項２に記載の本発明の場合は格子線４３と格子線５３。請求項３に記載の本発明の場合は線７１と線８１。請求項４に記載の本発明の場合は線１１と線６１と線２１）の方向ベクトルのなす角を０．１度から１０度とし、互いにねじれの位置となるようにする。
【産業上の利用可能性】
【００２１】
動物模型への利用可能性。
鳥や猿やイタチなどの動物による農作物の被害は農家にとって深刻な問題である。また、鳩やカラスの営巣によるビルや寺院における糞公害は公衆衛生上の大きな問題である。これらの問題に対して、網で農地や建物の一部を囲うなど方法で対策が取られてきたが、大きなコストが必要であったり、美観を損ねたりなどの弊害があった。そこでこれらの害獣や害鳥が畏れる動物を模して、本発明を被膜した模型を生産すれば、害獣や害鳥対策に役立てることができる。この模型に近づくと模様が動くことで生きていると錯覚を与えることができ、低コストで害獣を害鳥追い払うことができると考えられる。図１０は果樹の枝に蛇の模型を掛けた図である。模型の明帯７と暗帯８が動くことで、飛んできた害鳥に生きている蛇だと錯覚を与えることができる。
【００２２】
測量機器への利用可能性。
測量は複数の作業員で行われるのが常である。そのために、簡易調査程度の大雑把な測量であっても複数の人員を割かなければならない。そこで、図１１のように、本発明を被膜した筒を立て、目盛り板を併置した測量用分度器を生産すれば、測量に役立てることができる。この分度器を起点Ａに置き、人がこの分度器を遠目に見ながらＢ点からＣ地点まで歩けば、この分度器の目盛りをいくつの暗帯８（又は明帯７）が通過したかで角度を知ることができる。その結果∠ＢＡＣの大きさを一人で容易に測定することができる。その結果人件費を抑えることができる。
【符号の説明】
【００２３】
６    蛇の模型
７    明帯
８    暗帯
９    屋外分度器
１０  表層シート
１１  線
１２  平行線間隙
２０  基底層シート
２１  線
２２  平行線間隙
３０  層の隙間
４０  上層
４３  格子線
４４  格子線間隙
５０  下層
５３  格子線
５４  格子線間隙
６０  中層シート
６１  線
６２  平行線間隙
７０  上面
７１  線
７２  平行線間隙
７８  透明被膜
８０  下面
８１  線
８２  平行線間隙
【図１】
2011154254.tif 000003
【図２】
2011154254.tif 000004
【図３】
2011154254.tif 000005
【図４】
2011154254.tif 000006
【図５】
2011154254.tif 000007
【図６】
2011154254.tif 000008
【図７】
2011154254.tif 000009
【図８】
2011154254.tif 000010
【図９】
2011154254.tif 000011
【図１０】
2011154254.tif 000012
【図１１】
2011154254.tif 000013